(57)【特許請求の範囲】
【請求項１】
駆動可能な下部ローラー（３）を持つ、ステープル繊維から作られた繊維ストランド（２）をドラフトするためのドラフト装置（１）であって、上部ローラー（４）が下部ローラー（３）に割り当てられおり、この上部ローラー（４）が下部ローラー（３）と共にニップライン（７）を形成し、かつさらに繊維ストランド（２）を偏向するための少なくとも二つの機械的手段（１５，１６）がニップライン（７）の上流及び下流に設けられているものにおいて、繊維ストランド（２）を偏向するための手段（１５，１６）が上部ローラー（４）の心棒（１２）に取付けられていること、及び負荷手段（２１）が上部ローラー（４）の心棒（１２）と偏向手段（１５，１６）との間に配置されていることを特徴とするドラフト装置。
【請求項２】
ニップライン（７）の上流に配置された繊維ストランド（２）を偏向するための手段（１５）がエプロン対（５，６）とニップライン（７）との間の最短想像連結線から繊維ストランド（２）を偏向することを特徴とする請求項１に記載のドラフト装置。
【請求項３】
繊維ストランド（２）を偏向するための手段（１５，１６）が、それらの手段が繊維ストランド（２）の横断運動（Ｂ）に追従することができるように上部ローラー（４）の心棒（１２）の方向に可動であることを特徴とする請求項１または２に記載のドラフト装置。
【発明の詳細な説明】
【技術分野】
【０００１】
本発明は、駆動可能な下部ローラーを持つ、繊維ストランドをドラフトするためのドラフト装置であって、上部ローラーが下部ローラーに割り当てられており、この上部ローラーが下部ローラーと共にニップラインを形成し、かつ繊維ストランドを偏向するための少なくとも一つの機械的手段がニップラインの上流及び下流に設けられているものに関する。
【０００２】
本発明はさらに、ステープル繊維からなる繊維ストランドをドラフトするためのドラフト装置のための凝縮装置であって、ドラフト装置の下部ローラーのための少なくとも一つの凹状シリンダー形状支持表面を持ちかつドラフト装置内で加工された繊維ストランドを偏向するための少なくとも二つの機械的手段を持つものに関する。
【背景技術】
【０００３】
上述のタイプのドラフト装置はドイツ公開特許出願ＤＥ１０３４６２５８Ａ１において従来技術である。凝縮要素はこの既知の実施態様で提供されており、それは繊維ストランドを偏向するための幾つかの手段を含む。その凝縮要素はドラフト装置の送出ローラー上に凹状シリンダー形状支持表面と共に座る。凝縮要素は二つのやっとこ状保持素子を含み、それらは送出ローラー上に留められ、従って凝縮要素は送出ローラー上に支持される。上部ローラーが、旋回される上部重み付け腕により送出ローラーから上昇されるとき、例えば糸切れを排除するとき、凝縮要素は送出ローラー上に残る。繊維ストランドは、案内壁として設計されている偏向手段中に手動で設置されなければならない。
【発明の開示】
【発明が解決しようとする課題】
【０００４】
本発明の目的は上述のタイプのドラフト装置を改善することである。
【０００５】
この目的は、繊維ストランドを偏向するための手段が下部ローラーに取付けられることにより達成される。この目的は、凝縮装置の場合において、凝縮装置がドラフト装置の上部ローラーの一部のための締め具並びに本質的にシリンダー形状支持表面の中心に向けて作用する少なくとも一つの負荷手段を含むことで達成される。
【０００６】
例えば糸切れが排除されるとき、繊維ストランドを偏向するための手段を持つ凝縮装置は、上部ローラー、特に上部ローラーの心棒に固定されているため、上部ローラーが下部ローラーから上昇されるとき上部ローラーと一緒に上昇されることができる。繊維ストランドの経路はこのようにして自由に接近可能となり、もし必要なら容易に浄化されることができる。上部ローラーが所定場所に置かれるとき、繊維ストランドを偏向するための手段を含む凝縮装置は上から繊維ストランド上に設置される。繊維ストランドはそれ自身、偏向手段中に入る。繊維ストランドを偏向するための手段は有利には、例えば曲がった表面を持つかまたは繊維ストランドに対して斜めに配置されている案内壁により形成されることができる。案内壁はまた、繊維ストランドが偏向される間に凝縮されるようにじょうごの形状で配置されることができる。
【０００７】
二つの上部ローラーは有利にはドラフト装置の下部ローラーに割り当てられ、それらの二つの上部ローラーは下部ローラーと一緒に二つの連続するニップラインを形成する。完全にドラフトされた繊維ストランドは第一ニップラインに存在している。第一ニップラインの下流の凝縮領域内では、繊維ストランドは機械的偏向手段により凝縮されかつ圧縮される。凝縮領域は第二ニップラインにより限界付けられる。凝縮領域内の繊維ストランドを偏向するための手段に加えて、凝縮装置は第一ニップラインの上流に配置されているさらなる偏向手段を含む。第一ニップラインの上流に配置された偏向手段はドラフト装置の主ドラフト領域内に位置しており、エプロン対と第一ニップラインとの間の最短想像連結線から輸送方向に横断的に繊維ストランドを偏向することができる。ドラフト面からの繊維ストランドの偏向はエプロン対の下流とドラフト装置のドラフト領域を終えるニップラインの上流の繊維ストランドの改善された案内を実現する。主ドラフト時の繊維ストランドのステープル繊維の案内はこれにより改善される。偏向のための手段の案内壁または案内表面は有利には、凝縮装置の凹状に曲がったシリンダー形状支持表面に直接隣接する。下部ローラーの周表面はこれにより繊維ストランドを支持するための輸送手段を形成し、それは特に凝縮領域で重要でありうる。凝縮装置が下部ローラー上に置かれるとき、繊維ストランドは実際にそれ自身案内表面間に入る。
【０００８】
主ドラフト領域内の繊維ストランドを偏向するための手段は有利には凸状案内表面を含み、それが繊維ストランドをドラフト面から下向きに偏向し、従って繊維ストランドは部分的に凸状案内表面に輪を作る。凝縮効果を改善するために、主ドラフト領域内の繊維ストランドを偏向するための手段はここで繊維ストランドの幅の減少が既に実現されるような方式で設計されることができる。これは、Ｕ−形状またはＶ−形状溝が設けられ、そのベースに凸状案内表面が配置されることで起こりうる。凸状案内表面は、溝を通る縦方向切断により、すなわちシリンダー形状支持表面の中心線に垂直な切断により識別されることができるような方式で設計される。
【０００９】
本発明の実施態様において、凝縮装置が上部ローラーの一部のためのその締め具と一緒に、凝縮装置が上部ローラーの軸方向に可動であるような方式で設計されるということは有利である。凝縮装置に配置された繊維ストランドを偏向するための手段は結果として上部ローラーの心棒の方向に可動であり、従ってその手段は輸送方向に横断的な繊維ストランドの横断運動に追従することができる。ドラフト装置内の繊維ストランドの横断運動の結果として、柔軟な上部ローラー覆いの有効寿命が増大されることができる。
【００１０】
シリンダー形状支持表面を持つ凝縮装置がドラフト装置の下部ローラー上にうまく座るために、凝縮装置は本質的にシリンダー形状支持表面の中心に向けて作用する負荷手段を含む。この負荷手段は例えば磁石として設計されることができ、それは鋼製下部ローラー上に吸引力を及ぼす。有利な実施態様では、負荷手段は加圧ばねとして設計されることができる。加圧ばねは、螺旋ばね、板ばねまたはレッグスプリング（ｌｅｇ  ｓｐｒｉｎｇ）の形であることができ、かつ上部ローラーの一部と偏向手段との間に配置される。加圧ばねは有利には、加圧ローラーの非回転心棒上に支持され、下部ローラーの周表面に対してシリンダー形状支持表面を負荷する。
【００１１】
有利な実施態様では、一つの凹状シリンダー形状支持表面が繊維ストランドを偏向するための各手段に割り当てられ、その支持表面のそれぞれは棒上に設けられる。繊維ストランドを偏向するための手段を持つ第一棒は第一ニップラインの上流に配置され、偏向手段を持つ第二棒は第一ニップラインの下流に配置される。棒は、凹状シリンダー形状支持表面が下部ローラー上に置かれたときに限界の程度まで整合されることができるように限定された可動方式で凝縮領域内に配置されることができ、従って周表面上に最適に置かれることができる。あるいは、棒は凝縮装置内に固定態様で適用されることができる。凝縮装置は有利には、二つの棒に加えて二つの枠部を含み、それらは上部ローラー覆いに隣接して配置され、かつ偏向手段を持つ棒を保持する。上部ローラーの心棒及び負荷手段のための締め具は枠部内に配置される。上部ローラーの心棒のための締め具は心棒上に支持され、それは凝縮装置が下部ローラーの回転運動により同伴されるのを防ぐ。二つのシリンダー形状支持表面を持つ凝縮装置が、加圧力が均一に分配されるように、固定手段に対して本質的に対称的に設計されるとき有利である。
【００１２】
図面の簡略説明
本発明のこれらの及びさらなる目的、特徴及び利点は添付図面と共になされる以下のそれらの詳細な説明からより容易に明らかとなるであろう。
【００１３】
図１は、凝縮装置を持つドラフト装置の拡大された部分的断面の側面図である。
【００１４】
図２は、図１の矢印ＩＩの方向の凝縮装置の図を示す。
【００１５】
図３は、凝縮装置の変更例の図１と同様の図である。
【発明を実施するための最良の形態】
【００１６】
部分的にのみ示されたドラフト装置１は本質的に駆動下部ローラーを含み、それら下部ローラーに上部ローラーが割り当てられ、それら上部ローラーは下部ローラーに対して押圧され、それらローラーがステープル繊維から作られた繊維ストランド２を希望の繊度に輸送方向Ａにドラフトする。唯一のローラー対３，４が示されており、それは下部ローラー３と上部ローラー４を含む。エプロンローラー対がローラー対３，４の上流に配置され、それらのうち案内エプロン５と６からなるエプロン対５，６のみが示されている。案内エプロン５と６は既知の方式で繊維ストランド２を案内する役目をする。ドラフト装置１の主ドラフト領域の下流で、繊維ストランド２のドラフトは下部ローラー３と上部ローラー４との間のニップライン７で終わる。完全にドラフトされた繊維ストランド２は続いて凝縮領域８を通って走行し、そこでそれが凝縮及び圧縮される。凝縮領域８は、下部ローラー３に配置された第二上部ローラー１０により形成されるニップライン９によりその出口側を境界付けられる。ニップライン９の直ぐ下流で、繊維ストランドはその撚りを与えられ、完成糸１１が形成される。
【００１７】
ドラフト装置１は紡績機の一部であることができ、そこで糸１１が例えば空気ジェットによりまたはリングスピンドルによりその撚りを与えられる。リング式紡績機の場合、複数のドラフト装置１が互いに隣接して配置され、下部ローラー３は機械の縦方向に延びる連続下部シリンダーの形をしている。二つの隣接したドラフト装置の上部ローラー４と１０は、各々が共通心棒１２を持つ上部ローラーツインとして既知の方式で設計されることができる。上部ローラー４はドラフト装置１の残りの上部ローラー（図示せず）と一緒に回転揺動式上部重み付け腕１３に取付けられている。上部重み付け腕１３は、概略的にのみ示されており、施回軸（図示せず）周りに上向きに揺動されることができ、従って上部ローラー４，１０は下部ローラー３から上昇される。ドラフト装置１の操作上の欠点を排除するために、上部ローラー４，１０は時々上向きに上昇されることが必要である。上部ローラー１０は、示されていない方式で、ベース本体と共に上部ローラー４に取付けられることができ、従って上部ローラー４と１０は上部ローラー集合体を形成する。これに代えて、上部ローラー１０はまた、上部重み付け腕１３に直接取付けられることができる。
【００１８】
凝縮装置１４は上部ローラー４に取付けられ、この凝縮装置は繊維ストランドを偏向するための機械的手段１５と１６を含む。繊維ストランド２を偏向するための手段１５と１６は輸送方向Ａに互いに対してある距離に設置される。第一偏向手段１５はニップライン７の上流に配置され、第二偏向手段１６はニップライン７の下流に配置される。凹状シリンダー形状支持表面１７と１８は各偏向手段１５と１６に配置され、それにより凝縮装置１４はドラフト装置１の下部ローラー３の周表面１９上に支持される。凝縮装置１４は上部ローラー４の心棒１２のための締め具２０を含む。凝縮装置１４はさらに負荷手段２１を含み、それは、本質的にシリンダー形状支持表面１７，１８の中心に向けて作用し、凝縮装置１４を下部ローラー３に押圧する。
【００１９】
繊維ストランド２を偏向するための手段１５と１６はトンネル形状の凝縮チャネル２２，２３の形のものであり、それらはシリンダー形状支持表面１７，１８に面して開いている。上部ローラー４が凝縮装置１４と共に下部ローラー３上に置かれるとき、繊維ストランド２はそれ自身凝縮チャネル２２と２３中に通ることができる。下部ローラー３の周表面１９は輸送手段を形成し、それは繊維ストランド２を偏向手段１５，１６の領域内に支持しかつ輸送する。下部ローラー３の周表面１９のこの輸送効果は、凝縮繊維ストランド２が損傷なくニップライン９に到達することを確保するために、繊維ストランド２が非常に細くかつ損傷を受けやすい凝縮領域８内で特に重要である。繊維ストランド２はニップライン７と９間の周表面１９上に絶えず存在し、下部ローラー３から上昇しない。トンネル形状凝縮チャネル２２と２３が本質的にＵ−形状またはＶ−形状溝の形で設計され、それらの自由断面が輸送方向Ａに狭くなることが有利でありうる。
【００２０】
ドラフト装置１の主ドラフト領域の偏向手段１５は、繊維ストランド２がエプロン対５，６を離れたとき、繊維ストランド２を案内する。偏向手段１５は有利には案内表面２４を含み、それは図１に示された図における、すなわちシリンダー形状支持表面１７の中心線に垂直な凝縮チャネル２２を通る断面における凸状形状を含む。凸状案内表面２４はエプロン対５，６とニップライン７との間の最短想像連結線２から繊維ストランド２を偏向する。繊維ストランド２のドラフト面からの凸状案内表面２４を通しての偏向及び得られた案内表面２４の輪の形成は既にドラフトされた繊維ストランドの改善を実現する。
【００２１】
凝縮装置１４のための負荷手段２１は螺旋形ばね２５の形の加圧ばねとして設計されている。螺旋加圧ばね２５は凝縮装置１４を下部ローラー３に対して押圧する力を発生する。加圧ばね２５は凝縮装置１４の枠部２７内に配置される。枠部２７は加圧ローラー４の心棒１２のための締め具２０を含む。この締め具は、凝縮装置１４が小さな許容度で上部ローラー４上に支持されるような方式で設計される。凝縮装置１４が、上部ローラー４が上昇されるとき、落ちないために、保持クリップ２８が締め具２０に割り当てられることができ、それは、シリンダー形状支持表面１７，１８がもはや下部ローラー３上に支持されないときに締め具２０が心棒１２から滑るのを防ぐ。枠部２７は有利にはプラスチックから作られ、従って保持クリップ２８は容易に一体化されることができる。ポケット形状凹所が加圧ばね２５のために枠部２７内に設けられる。凝縮装置１４は負荷手段２１の力の方向に本質的に対称に設計され、従って加圧ばね２５の力は二つのシリンダー形状支持表面１７と１８上に均一に分配される。
【００２２】
繊維ストランド２を偏向するための手段１５と１６はそれぞれ一つの棒３０と３１内に配置される。棒３０と３１は凝縮装置１４の枠部２７により連結される。棒３０と３１は有利にはセラミック材料から作られ、可動方式で凝縮装置１４内に配置される。各棒３０，３１はシリンダー形状支持表面１７，１８を含む。枠部２７上への棒３０と３１の可動配置のため、シリンダー形状支持表面１７と１８は凝縮装置１４の方向にも可動である。これは、凝縮装置１４が下部ローラー３上に置かれるとき、シリンダー形状支持表面１７，１８が周表面１９上に正確に配置されるという利点を持つ。結果として、各個々のシリンダー形状支持表面１７または１８の高度の正確性に対してあまり注意を払う必要はない。シリンダー形状支持表面１８に関するシリンダー形状支持表面１７の配置は、二つのシリンダー形状支持表面１７と１８が周表面１９上に置かれたときに自動的に整合されるので、凝縮装置１４で正確に確保されなくてよい。棒３０と３１は有利にはピン３２を含み、それにより棒３０と３１は枠部２７中に留められる。
【００２３】
図２は、繊維ストランド２の輸送方向Ａの視線で凝縮装置１４を持つ上部ローラー４を示す。套管チューブ３３が加圧ローラー４の心棒１２上に回転可能に取付けられる。柔軟材料から作られた覆い３４が套管チューブ３３に取付けられる。心棒１２は、静止方式で上部重み付け腕１３に取付けられ、上部ローラー４がツイン上部ローラーとして設計されているときに第二套管チューブ（図示せず）を含むことができる。心棒１２は両側で套管チューブ３３を突き出ている。凝縮装置１４の枠部２７は套管チューブ３３の各側に取付けられる。棒３０はピン３２の助けにより二つの枠部２７間に支持され；棒３０の背後の棒３１は同じ方式で支持される。
【００２４】
枠部２７と套管チューブ３３の間に、空間３５が設けられ、それは凝縮装置１４が上部ローラー４の軸方向に可動であることを可能にする。繊維ストランド２を偏向するための手段１５，１６は結果として繊維ストランド２の二重矢印Ｂの方向の横断運動に追従することができる。ドラフト装置１の横断運動Ｂは、上部ローラー４の柔軟覆い３４の有効寿命がこれにより増加されるので、有利である。ニップライン７の上流の主ドラフト領域内の繊維ストランド２は比較的高い張力下にあり、それはドラフト力による場合である。張力下に凝縮チャネル２２を通過する繊維ストランド２は、横断運動Ｂ時に偏向手段１５の案内壁１５１上に横に配置され、凝縮装置１４を伴う。凝縮装置１４は横断運動駆動体に連結される必要がない。
【００２５】
締め具２０が上部ローラー４の心棒１２上に座っている、図２に示された変更例に代えて、套管チューブ３３のための締め具が設けられることが、示された実施態様で提供されることができる。套管チューブ３３は、覆い３４を越えてかなりの程度まで突出するようにいくらか長く選ばれることができる。締め具２０は套管チューブ３３のより大きな直径に適合されなければならないだけである。そうでなければ凝縮装置１４は本質的に変わらないままである。套管チューブ３３のための締め具を持つ凝縮装置１４は、上部ローラー４の心棒１２が套管チューブ３３の両側に外向きに突出する必要がないという利点を持つ。標準的な上部ローラーが結果として適用されることができる。
【００２６】
図３に、異なるタイプの負荷手段２１を持つ凝縮装置１４の変更例が示されている。図１と２に関して与えられた詳細がこの場合にも適用され、従って繰返した説明は必要でない。図１と２におけるのと同一要素は同じ参照番号により示される。図３の負荷手段２１はワイヤーからなるレッグスプリング３６である。レッグスプリング３６はまた、加圧ばねとして作用する。レッグスプリング３６はまた、凝縮装置１４の枠部内に位置しており、上部ローラー４の心棒１２に対して支持される。レッグスプリング３６は上部ローラー４の心棒方向に見たときにより少ない空間を必要とするという利点を持ち、従って枠部２７は低減された厚さのものであることができる。結果として、凝縮装置１４は、限定された空間の場合に、特に隣接して配置されたドラフト装置間の小さなピッチの場合に、適用されることができることを実現可能にする。図示されていない実施態様では、締め具２０が套管チューブ３３を取り囲むことが規定されることができる。このタイプの別の実施態様では、レッグスプリング３６は套管チューブ３３と下部ローラー３との間の減らされた設置高さのために、それがねじばね２５より大きな凝縮装置１４の加圧力を達成することができるという利点を持つ。
【００２７】
固定手段２１のさらなる変更例、すなわち磁石３７は図３に破線により示されている。磁石３７はまた、凝縮装置１４のための好適な負荷手段２１を意味し、加圧ばね２５または３６への代替として使用されることができる。
【００２８】
図１から３に示された凝縮装置１４への追加の変更例として、境界条件に依存して、図示されていない実施態様において棒３０と３１並びに枠部２７がワンピース要素を形成するような方式で凝縮領域１４を変えることが有利でありうる。ワンピース要素の設計では、シリンダー形状支持表面１７と１８がもはや分離されず、むしろ覆い３４に隣接した領域内で連続することが規定されることができる。このようにして唯一の単一シリンダー形状支持表面が凝縮装置内に与えられることができ、その支持表面は偏向のための手段１５の領域から偏向のための手段１６の領域まで延び、かつそれは加圧ローラー４のための凹所を含む。
【図面の簡単な説明】
【００２９】
【図１】凝縮装置を持つドラフト装置の拡大された部分的断面の側面図である。
【図２】図１の矢印ＩＩの方向の凝縮装置の図を示す。
【図３】凝縮装置の変更例の図１と同様の図である。
【図１】
0005344878.tif 000002
【図２】
0005344878.tif 000003
【図３】
0005344878.tif 000004